(57)【要約】【課題】括り罠にかかった動物の種類を判定してユーザにリアルタイムで通知することを可能とする、捕獲通知システムを提供する。【解決手段】捕獲器及びその周囲の状態情報を取得するセンサ手段と、前記センサ手段により取得されたセンサ情報を圧縮して情報量を減らす圧縮手段と、前記圧縮された前記センサ情報を無線伝送する無線伝送手段と、前記無線伝送手段により無線伝送された前記センサ情報を受信する受信手段と、前記受信手段により受信された前記センサ情報に基づき前記捕獲器が捕えた動物の種別を判断する判断手段と、前記判断手段の出力をユーザに通知する通知手段を持つ捕獲通知システム。【選択図】図１
2020150833.tif 000002
【特許請求の範囲】
【請求項１】
捕獲器及びその周囲の状態情報を取得するセンサ手段と、前記センサ手段により取得されたセンサ情報を圧縮して情報量を減らす圧縮手段と、前記圧縮された前記センサ情報を無線伝送する無線伝送手段と、前記無線伝送手段により無線伝送された前記センサ情報を受信する受信手段と、前記受信手段により受信された前記センサ情報に基づき前記捕獲器が捕えた動物の種別を判断する判断手段と、前記判断手段の出力をユーザに通知する通知手段を持つことを特徴とする捕獲通知システム。
【請求項２】
前記センサ手段は、前記捕獲器の一部を構成するワイヤーの張力を検出する張力検出手段を含むことを特徴とする請求項１に記載の捕獲通知システム。
【請求項３】
前記センサ手段は、前記捕獲器の周辺の音声を検出する音声検出手段を含むことを特徴とする請求項１に記載の捕獲通知システム。
【請求項４】
前記判断手段は、前記ユーザからのフィードバックにより前記判断の基準又は手順が更新されることを特徴とする請求項１に記載の捕獲通知システム。
【請求項５】
前記捕獲通知システムの一部が捕獲動物により破壊されたことを検出し、ユーザに通知する破壊通知手段を含むことを特徴とする請求項１に記載の捕獲通知システム。
【請求項６】
センサにより捕獲器及びその周囲の状態を反映したセンサ情報を入手し、前記センサ情報を圧縮して情報量を減らし、前記圧縮された前記センサ情報を無線伝送し、前記無線伝送されたセンサ情報を受信し、前記受信された前記センサ情報に基づき前記捕獲器が捕えた動物の種別を判断し、前記判断結果をユーザに通知することを特徴とする捕獲通知方法。
【請求項７】
前記センサにより入手される情報は、前記捕獲器の一部を構成するワイヤーの張力であることを特徴とする請求項６に記載の捕獲通知方法。
【請求項８】
前記センサにより入手される情報は、前記捕獲器の周辺の音声情報であることを特徴とする請求項６に記載の捕獲通知方法。
【請求項９】
前記動物の種別判断方法は、前記ユーザからのフィードバックにより前記判断の基準又は手順が更新されることを特徴とする請求項６に記載の捕獲通知方法。
【請求項１０】
前記捕獲器の一部が破壊されたことを検出し、前記ユーザに破壊通知をおこなうことを特徴とする請求項６に記載の捕獲通知方法。
【請求項１１】
捕獲器及びその周囲の状態情報を取得するセンサ手段と、前記センサ手段により取得されたセンサ情報を圧縮して情報量を減らす圧縮手段と、前記圧縮された前記センサ情報を無線伝送する無線伝送手段を持つことを特徴とする括り罠の通報装置。
【請求項１２】
前記センサ手段は、前記捕獲器の一部を構成するワイヤーの張力を検出する張力検出手段を含むことを特徴とする請求項１１に記載の括り罠の通報装置。
【請求項１３】
前記センサ手段は、前記捕獲器の周辺の音声を検出する音声検出手段を含むことを特徴とする請求項１１に記載の括り罠の通報装置。
【発明の詳細な説明】
【技術分野】
【０００１】
本発明は、捕獲通知システム、捕獲通知方法及び括り罠の通報装置に関する。
【背景技術】
【０００２】
近年、猟師の高齢化と後継者不足に伴って猟師が減り、野山に生息する有害獣（鹿やイノシシなど）の数が増えて社会問題となっている。有害獣による農業への被害が著しく、農家は柵を設置したりしているが完璧ではない。  多くの自治体では有害獣の駆除に交付金を出している状況である。
【０００３】
平成２６年５月３０日には「鳥獣の保護及び狩猟の適正化に関する法律の一部を改正する法律」が公布され、さらに厚生労働省においては平成２６年１１月に、「野生鳥獣肉の衛生管理に関する指針（ガイドライン）」が作成されている。  有害獣の被害を重大に捉えているだけでなく、捕えた有害獣を食肉として有効利用することを、我が国として推進している。
【０００４】
鹿の捕獲手段としては近年、猟銃に変わって「括り罠」が多く使われるようになった。この括り罠に鹿が掛かってから時間が経過してしまうと、鹿が暴れまわることにより外傷や炎症が発生し、食肉にならない。  掛かった直後に捕獲できれば、食肉に加工することができる。  猟師にとっては補助金だけでなく、食肉加工業者から追加収入を得ることができる。  そこで括り罠にセンサを取り付け、罠にかかったことを通知する捕獲通知システムが開示されている（例えば、特許文献１〜４参照。）。
【先行技術文献】
【特許文献】
【０００５】
【特許文献１】特許第２８２９６７３号明細書
【特許文献２】特許第４２６７２６８号明細書
【特許文献３】特許第６３１３０７０号明細書
【特許文献４】特許第６４０５５６３号明細書
【発明の概要】
【発明が解決しようとする課題】
【０００６】
特許文献１に記載の鹿報知器は、罠の作動によって作動する発信機と、当該発信機の信号を受けて罠の作動を報知する受信機とを備えた罠報知器であって、上記発信機は、罠の作動によって投入される磁力スイッチと、コード変換手段によってコード化された信号を所定の間隔をおいて瞬間的に発信し、上記受信機は、コード化された信号から元の情報信号を取り出して出力することを特徴としている。
【０００７】
特許文献１に記載の鹿報知器を用いれば、発信機からの電波を遠く離れた場所にある受信機でキャッチし、罠の作動状態を知ることができる。  しかし、磁力スイッチが作動すると発信されるので、罠にかかっている動物が狸などの小動物であるのか、それとも鹿やイノシシなどであるのか、区別をつけることができない。
【０００８】
特許文献２に記載の動物捕獲監視システムは、動物が捕獲されたことを検知する捕獲検知センサと、トラップの位置を検出し位置情報を出力する位置センサ、送信装置、受信装置、情報管理センターとユーザ端末とを備える。
【０００９】
特許文献２に記載の鹿報知器においても、送信装置と受信装置を組み合わせているので、罠から遠く離れた場所において罠の作動状態を知ることができる。また罠の位置情報から獲物が掛かった罠を特定することができるので、多くの罠を仕掛ける猟師には有用である。  しかし、罠にかかっている動物が狸やウサギなどの小動物であるのか、それとも鹿やイノシシであるのか区別をつけることができない。
【００１０】
特許文献３に記載の捕獲通知システムは、捕獲器の振動を検出するセンサ装置により所定値よりも大きい振動が所定回数以上にわたって検出された場合に、捕獲通知がなされるように構成されている。
【００１１】
しかし、特許文献３のシステムにおいても、捕獲通知情報から獲物の種類を特定することができない。
【００１２】
ところで鹿は夜間に行動することが多い。  また狸も夜間行動することが多い。このため特許文献１〜３に記載された捕獲通知システムからは深夜や未明の時刻に捕獲通知のメッセージが発せられることがある。
【００１３】
先に述べたように、鹿はできるだけ早く捕獲しなければ食肉としての価値が下がってしまう。  従って猟師は、特許文献１〜３に記載された捕獲通知システムから通知が発せられれば、深夜や未明であっても罠に急行することになる。  猟師にとっては極めて負担が大きいが、その結果、罠に掛かった動物が狸であった場合は徒労に終わってしまうことになる。  そこで、どのような動物が掛かっているのか、できる限り把握することが切望される。
【００１４】
特許文献４に記載の野生動物捕獲システムは、捕獲設備の内部へ侵入した野生動物を撮影し、その撮影した静止画又は動画を電子メールとして、インターネット経由でユーザ情報端末へ送信するネットワークカメラを備えている。  特許文献４に記載のシステムであれば、インターネット経由で捕獲動物の種類を判別することが可能となる。  
【００１５】
しかし、カメラで撮影された画像データは情報量が数１０Ｋバイト〜数１００Ｋバイトと大きくなり、このような画像データを伝送する無線通信には携帯電話回線などの高速伝送性能が求められる。  一方で有害獣の罠は山中に設置される場合が殆どで、携帯電話回線が使えず、ネットワークカメラの画像を伝送することができない。  またネットワークカメラは消費電力が大きく、商用電源が来ていない山中に設置するのは難しい問題点もある。
【００１６】
そこで、本発明は、括り罠にかかった動物の種類を判定してユーザにリアルタイムで通知することを可能とする、捕獲通知システム、捕獲通知方法及び括り罠の通報装置を提供することを目的とする。
【課題を解決するための手段】
【００１７】
本発明の捕獲通知システムは、捕獲器及びその周囲の状態情報を取得するセンサ手段と、前記センサ手段により取得されたセンサ情報を圧縮して情報量を減らす圧縮手段と、前記圧縮された前記センサ情報を無線伝送する無線伝送手段と、前記無線伝送手段により無線伝送された前記センサ情報を受信する受信手段と、前記受信手段により受信された前記センサ情報に基づき前記捕獲器が捕えた動物の種別を判断する判断手段と、前記判断手段の出力をユーザに通知する通知手段を持つものである。
【００１８】
本発明の捕獲通知方法は、センサにより捕獲器及びその周囲の状態を反映したセンサ情報を入手し、前記センサ情報を圧縮して情報量を減らし、前記圧縮された前記センサ情報を無線伝送し、前記無線伝送されたセンサ情報を受信し、前記受信された前記センサ情報に基づき前記捕獲器が捕えた動物の種別を判断し、前記判断結果をユーザに通知するものである。
【００１９】
本発明の括り罠の通報装置は、捕獲器及びその周囲の状態情報を取得するセンサ手段と、前記センサ手段により取得されたセンサ情報を圧縮して情報量を減らす圧縮手段と、前記圧縮された前記センサ情報を無線伝送する無線伝送手段を持つものである。
【００２０】
本発明の捕獲通知システム、捕獲通知方法及び括り罠の通報装置においては、センサ情報（括り罠のワイヤーにもたらされる張力など）を検出し、その測定結果を情報圧縮してＬＰＷＡ（Low Power Wide Area）無線でクラウドコンピュータに伝送する。ＬＰＷＡ無線は、伝送する情報量が少ない（概ね１００ビット程度）場合に適用できる無線通信技術で、長距離の無線伝送を低消費電力で可能とする技術である。
【００２１】
クラウドコンピュータは、圧縮されたセンサ情報から信号処理により判断を行い、獲物の種類を特定し、メールなどの手段でユーザに通知する。  またクラウドコンピュータは、捕獲動物により罠や張力センサが破壊された場合は、破壊されていることを通知する。
【発明の効果】
【００２２】
本発明の捕獲通知システム、捕獲通知方法及び括り罠の通報装置によれば、情報量が少ないので長距離・低消費電力で動作する無線技術（ＬＰＷＡ）が適用可能となり、携帯電話が届かない山中でも罠にかかった獲物を捕獲することができる。  また罠が作動した時に、猟師は獲物の種類に関する事前情報を得てから罠の見守りに行くことができる。  即ち獲物が小動物（狸やウサギなど）と解った場合には、括り罠の見守りを翌朝まで延期することが可能となる。獲物が鹿であると解れば、罠に急行して鹿を確保することにより、食肉として提供する可能性を高めることができる。  また獲物が熊であった場合は、麻酔銃を持つなど、自分の身を守るために必要な事前準備を可能とする。
【図面の簡単な説明】
【００２３】
【図１】実施例１に係る捕獲通知システム１の全体構成を説明する図である。
【図２】樹上センサ送信機２０及び張力センサ３０の回路構成を示す図である。
【図３】張力センサ３０の機械的構成を示す図である。
【図４】マイクロコントローラ２５の動作アルゴリズムを示すフローチャートである。
【図５】音声情報をフーリエ変換することにより得られるスペクトラムの一例を示す図である。
【図６】張力センサ３０から出力される波形データの模式図である。
【図７】１２８ビットのペイロードデータの構成を示す図である。
【図８】判断エンジン１１の構成例を示す模式図である。
【図９】特許文献３に記載の括り罠の構成図である。
【発明を実施するための形態】
【００２４】
以下、本発明を実施するための形態（以下実施の形態とする）について説明する。
【００２５】
＜全体構成＞
図１は、実施例１に係る捕獲通知システム１の全体構成を説明する図である。  捕獲通知システム１は、図１に示すように、動物の生息域に設置された括り罠３２及び３３による動物の捕獲をユーザ端末８へ通知する捕獲通知サービスを提供するものである。
【００２６】
括り罠は、図１及び後述する図３に示すように、ワイヤー３３、踏み板３２、図示しないスプリングで構成される。  踏み板３２が動物の足によって踏まれると、留め具が外れて動物の足がワイヤー３３によって拘束される。ワイヤー３３の他端は樹木４に固定されているので動物は逃げることができない。
【００２７】
本実施例においては、ワイヤー３３の途中に張力センサ３０を挿入することにより、拘束された動物がワイヤー３３を引っ張る力を検出する。  張力センサ３０の出力は、ケーブル３４により樹上センサ送信機２０に伝送される。    
【００２８】
後述するように、樹上センサ送信機２０は、ＧＰＳ（Global Positioning System）受信機２４、音声センサ２２と臭気センサ２３を搭載している。  樹上センサ送信機２０は、これらセンサから得られる情報（張力センサ３０、ＧＰＳ受信機２４、音声センサ２２と臭気センサ２３）を情報圧縮し、１２８ビットのペイロードデータにまとめ、ＬＰＷＡ無線として送信する。
【００２９】
市街地などに設置されたＬＰＷＡ受信機７は、樹上センサ送信機２０から送信されたペイロードデータを受信して復号し、インターネット上のクラウドコンピュータ１０に伝送する。クラウドコンピュータ１０は、各種センサから得られた圧縮データをデータベース１２に保管していく。  クラウドコンピュータ１０はまた、各種センサから得られた圧縮データを判断エンジン１１に供給し、括り罠に掛かっている動物の状況を判断する。  判断エンジン１１はクラウドコンピュータ１０で実行される認識プログラムであって、例えばニューラルネットワークにより実現される。  判断エンジン１１により、括り罠に動物が掛かっていると判断された場合には、ユーザ端末８にメールを伝送することにより、猟師に罠に動物が掛かっていることを知らせる。  このメールには、ＧＰＳによる位置情報と、判断エンジン１１が判断した動物の種別情報（鹿、狸、熊など）が含まれる。
【００３０】
ユーザ端末８に表示された情報を参考にして、猟師は括り罠に掛かっている動物の捕獲をおこなう。  ユーザ端末８に表示された動物が掛かっていることが期待されるが、場合によっては判断エンジン１１の判断ミスにより、ユーザ端末８に表示されたのとは異なる動物が掛かっている可能性もある。  このとき猟師は、実際に掛かっていた動物の種別情報（鹿、熊、狸など）をユーザ端末８を操作してクラウドコンピュータ１０にフィードバックする。  クラウドコンピュータ１０は、フィードバックされた情報を教師データとしてデータベース１２に蓄積していく。  
【００３１】
このようにしてデータベース１２に蓄積された過去の教師データと過去の圧縮データにより、クラウドコンピュータ１０は判断エンジン１１の更新（学習）をおこなう。  このようにして判断エンジン１１は、猟師からのフィードバックによりその判断性能を向上させていく。  本システムはこのようにして判断エンジン１１の性能を順次改善（学習）させることにより、最終的に高い精度で獲物の種類を特定できるシステムを構築する。
【００３２】
＜括り罠周辺の構成＞
図２は、樹上センサ送信機２０及び張力センサ３０の回路構成を示す図である。図２において、罠の周辺に設置される電子回路の詳細を説明する。  樹上センサ送信機２０は、括り罠が設置された樹木４の幹において、高さ１〜２ｍ程度の場所にマジックテープ（登録商標）などで固定される。  樹上センサ送信機２０は、電源としてバッテリー２１を内蔵し、樹上センサ送信機２０及び張力センサ３０に長期間の動作電源を供給する。  音声センサ２２は、小型のマイクロフォンとＡＤ変換器で構成され、動物の鳴き声など周囲の音声情報を検出してマイクロコントローラ２５に送る。  臭いセンサ２３は、硫黄化合物ガスなどを検出する所謂、悪臭感知センサであり、その検出出力をＡＤ変換してマイクロコントローラ２５に送る。  臭いセンサ２３は、例えば熊のように強い体臭を持つ動物と、臭いを出さない動物（例えば鹿など）と区別するために有用である。
【００３３】
ＧＰＳ受信機２４は、地球を周回する複数のＧＰＳ衛星からの電波を受信し、樹上センサ送信機２０が設置された場所の緯度・経度情報を算出して、マイクロコントローラ２５に送る。  メモリ２７は、音声センサ２２、臭いセンサ２３そして張力センサ３０から送られるセンサ情報を一時的に蓄積し、マイクロコントローラ２５に供給する。  無線送信機２６は、マイクロコンピュータ２５により生成された１２８ビットのペイロードデータをＬＰＷＡ無線として送信する。
【００３４】
マイクロコントローラ２５は、後述するアルゴリズムにより、３つのセンサ情報を圧縮し、ＧＰＳ緯度経度情報と樹上センサ送信機２０の識別符号（ＩＤ）を付加し、１２８ビットのペイロードデータを作成し無線送信機２６に送る。  マイクロコントローラ２５はまた、張力センサ３０内部に設置されたマイクロコントローラ３９と通信を行い、張力センサ３０が正しく接続されているか否かを判断し、１ビットのＡｌｉｖｅ情報とする。
【００３５】
張力センサ３０は、ケーブル３４によって樹上センサ送信機２０から電源供給を受ける。また張力センサ３０はワイヤー３３の張力を測定し、ケーブル３４を経由して樹上センサ送信機２０に伝送する。  張力センサ３０の電子回路は、圧力センサ３８とマイクロコントローラ３９により構成される。  圧力センサ３０は図３に示す構成により、ワイヤー３３に与えられた張力を圧力に変換して検出する。  圧力センサ３０が検出した張力は、マイクロコントローラ３９に内蔵されるＡＤ変換器によりデジタル信号に変換され、ケーブル３４を通して樹上センサ送信機２０に伝送される。  マイクロコントローラ３９はまた、ケーブル３４が断線していないかどうか判断できるように、マイクロコントローラ２５からの通信確認に応答する。
【００３６】
図３は張力センサ３０の機械的構成を示す図である。  ワイヤー３３は、リング押さえ３５、３６、３７によって曲げられる。  この結果ワイヤー３３に張力が発生すると、リング押さえ３６が図の上方に押し上げられることになる。  この押し上げる力を圧力センサ３８で電気信号に変換することで、ワイヤー３３にかけられた張力を検出する構成となっている。  このような構成により、ワイヤー３３をリング押さえ３５，３６，３７に通すことで張力センサとして動作する。この結果、猟師が既に持っている括り罠をそのまま使うことが可能となる。
【００３７】
図４はマイクロコントローラ２５の動作アルゴリズムを示すフローチャートである。  ステップＳＰ１において、マイクロコントローラ２５は３分毎に後述する信号処理アルゴリズムを実行し、後述する処理とＬＰＷＡ送信を行うように構成されている。  ステップＳＰ２において、マイクロコントローラ２５は、ＧＰＳ受信機２４と通信を行い、樹上センサ送信機２０が置かれた場所の緯度及び経度情報を取得する。  例えば、北緯３６．０３０１６０度、東経１３８．１５５２９８度といった情報がＧＰＳ受信機２４から得られる。  マイクロコントローラ２５は、緯度及び経度の小数点以下６桁の情報（上の例では“０３０１６０”、“１５５２９８”）をＢＣＤ（Binary Coded Decimal）で表すことにより、それぞれ２４ビットの緯度情報と経度情報に圧縮する。
【００３８】
緯度と経度の小数点より上の桁（北緯３６度、東経１３８度）は、受信機７において復元することができるので、このように削除して構わない。
【００３９】
ステップＳＰ３において、マイクロコントローラ２５は音声センサ２２の情報を圧縮処理する。先に述べたように音声センサ２２は、小型のマイクロフォンとＡＤ変換器で構成され、動物の鳴き声など周囲の音声情報を検出している。例えばＡＤ変換レート１０ｋＨｚ、量子化数が１０ビットの場合、３分間で１８メガビットものデータになってしまう。このデータをそのままＬＰＷＡで伝送することはできないので、マイクロコントローラ２５はデータ圧縮を行う。
【００４０】
マイクロコントローラ２５は３分間の音声情報をフーリエ変換することによりスペクトルを算出し、スペクトルピークとなる信号レベル（Rpeak）と、スペクトルでピークを生ずる周波数（Rfreq）の二つの情報を求める。 
【００４１】
図５は音声情報をフーリエ変換することにより得られるスペクトラムの一例を示す図である。 図５において、約１６０Ｈｚの周波数において、音声レベルのピーク４４ｄＢが観測されている。そこでRpeak（６ビット）として“４４”、Rfreq（１２ビット）として“１６０”を採用する。  Rpeakにより、罠に掛かっている動物が発している音量が解り、Rfreqにより、罠に掛かっている動物が発している音程（高い音か低い音か）が解る。このようにして得られるRpeakとRfreqを合わせた音声情報（Roar）として１８ビットに圧縮することができる。
【００４２】
ステップＳＰ４において、臭いセンサ２３のデータを処理する。計測している３分間において、臭いセンサの出力値が最も高くなったレベルを検出し、そのレベルを６４段階のレベルであらわすことにより、臭いレベルＳＣＥＮＴとして６ビットの情報に圧縮する。熊は、独特の体臭が強いので、罠に掛かっていた動物が熊であった場合はＳＣＥＮＴとして伝送される値が大きくなる。
【００４３】
罠に掛かった動物が暴れてケーブル３４を切断する場合がある。  この場合、張力センサ３０は切断され、正しい張力が測定できない。  そこでステップＳＰ５において、マイクロコントローラ２５は、張力センサ３０内部に設置されたマイクロコントローラ３９と通信を行い、通信応答があるか否かを判定することにより、張力センサ３０が正しく接続されているか否かを判断する。  正しく接続されている場合は、１ビットのAlive情報として“１”をセットし、接続が切れている場合は“０”をセットする。
【００４４】
張力センサ３０が正しく接続されていると判断された場合は、ステップＳＰ７において張力センサ３０から得られた張力データの圧縮処理を行う。  図６は、張力センサ３０から出力される波形データの模式図である。すなわち、図６は、動物が掛かった場合の張力波形を推定し、モデル化した波形を示す。  罠に掛かった直後にはワイヤー３３の弛みがあるので、動物は自由に走り、ワイヤー３３が伸び切った瞬間に引き戻される。  従って、早い動きで走り回る動物（鹿など）は、図６（Ａ）のように波形の先頭部分にピークが現れると予想される。  これに対して力の強い動物（熊など）は、図６（Ｂ）のように、波形全体として高い張力が観測されることが予想される。  このように張力波形には動物の種別に関する情報が含まれている可能性が高い。  しかし張力波形をそのまま伝送すると、大量のデータ量になってしまうのでＬＰＷＡ無線を適用することができない。
【００４５】
そこで本実施例では、閾値Ｔｈをノイズにより発生する微小な変動を上回る閾値として事前に設定する。  次に張力センサ３０からの波形が閾値Ｔｈを超えた場合に、そのピーク値（Ｄｐｅａｋ）、平均値（Ｄａｖｅ）、継続時間（Ｄｄ）の３つの数値だけで張力波形を表す。  それぞれを１０ｂｉｔで表現すると、張力データを３０ビットに圧縮することができる。
【００４６】
ステップＳＰ８において、圧縮された各データを１２８ビットのペイロードデータとして図７に示すように構成する。図７は、１２８ビットのペイロードデータの構成を示す図である。  ペイロードデータの先頭は１６ビットのＩＤ情報であり、マイクロコントローラ２５の内部不揮発メモリに記録されている固有番号を使う。  次に樹上センサ送信機２０のステータス情報（Ｓｔａｔｕｓ：１０ビット）、ＧＰＳの緯度（２４ビット）及び経度情報（２４ビット）、鳴き声をあらわすRoar情報（１８ビット）、臭いをあらわすＳＣＥＮＴ情報（６ビット）、そして張力情報（３０ビット）で、ペイロードデータが構成される。
【００４７】
図７左下に示すように、ステータス情報はＴＥＳＴ（１ビット）、張力センサ３０が切断されていないことを示すＡｌｉｖｅ情報（１ビット）、電池残量を８段階で表すＢＡＴ情報（３ビット）及び周辺温度の情報Ｔｅｍｐ（５ビット）で構成される。  樹上センサ送信機２０にはテストスイッチ２８が搭載されている。  システムが正しく動作することを確認する場合は、テストスイッチ２８（図２参照。）を押すことにより、ペイロードデータのＴＥＳＴ情報が“１”とされることにより、システムの動作試験をおこなうことができる。
【００４８】
ステップＳＰ９において、ペイロードデータをＬＰＷＡ無線により送信する。  この無線信号は、市街地などに設置されたＬＰＷＡ受信機７により受信され、クラウドコンピュータ１０に伝送される。クラウドコンピュータ１０は判断エンジン１１によって括り罠に掛かっている動物の状況を判断し、ユーザ端末８にメールを送ることにより、猟師に動物が掛かっていることを知らせる。  このメールには、ＧＰＳによる位置情報と、判断エンジン１１が判断した動物の種別情報（鹿、狸、熊など）が含まれる。
【００４９】
＜判断エンジン１１の構成＞
ペイロードデータから抽出された各種センサの情報（ＳＣＥＮＴ， Roar, Dpeak, Dave, Dd）を処理する判断エンジン１１の構成を図８に示す。図８は、判断エンジン１１の構成例を示す模式図である。  各種センサの情報を、所謂フィードフォワード型のニューラルネットワークに入力することにより、動物の種別判断などが可能となる。  このとき、ニューラルネットワークの内部設定は、データベース１２に格納された過去のセンサ情報と、猟師がインプットした教師データを使った学習（バックプロパゲーション）により設定することができる。  フィードフォワード型のニューラルネットワークに関しては詳細説明を省略する。
【００５０】
＜先行特許との差異＞
図９は、特許文献３に記載の括り罠の構成図である。  罠に動物が掛かったかどうかを知るために、特許文献３においては振動センサ３００が使われ、樹木４に固定されたワイヤー３０５の振動を検出するように構成されている。  
【００５１】
ところで括り罠３０１の周辺に人工物があると、鹿などの野生動物はその匂いを検出して近寄らない。  また括り罠３０１に動物が掛かると、動物は周囲を動き回って、周囲にある人工物を踏み壊してしまう。  匂いによる回避行動を防ぐため、そして破壊されることを防ぐために、猟師は振動センサ３００を樹木４の近傍に設置する。  すなわち、猟師が設置する場所（樹木４の直近）では、振動センサ３００の検出出力が小さくなってしまう問題点がある。  このように振動センサを用いた場合には、検出感度が樹木からの距離に依存して大きく変わってしまう。  
【００５２】
以上の理由により、特許文献３のように振動センサを用いた場合は、罠にかかっていても検出されない可能性がある。  さらに、罠にかかっている動物が狸やウサギなどの小動物であるのか、それとも鹿やイノシシであるのか、といった区別をつけることが難しい。
【００５３】
［発明の効果］
本発明の捕獲通知システム及び捕獲通知方法によれば、センサ情報を圧縮して伝送するので、長距離・低消費電力で動作する無線技術が適用可能となり、携帯電話が届かない山中でも罠にかかった獲物を捕獲することができる。  本発明の括り罠の通報装置は、張力センサなどの情報を圧縮して伝送することにより、動物の種別を判定することが可能となる。  本発明によれば、猟師には罠の作動情報に加えて獲物の種類に関する事前情報が伝送されるので、獲物に応じて罠の見守りに行くことができる。  即ち獲物が小動物（狸やウサギなど）と解った場合には、括り罠の見守りを翌朝まで延期することが可能となる。獲物が鹿であると解れば、罠に急行して鹿を確保することにより、食肉として提供する可能性を高めることができる。  また本発明では猟師からのフィードバックを得て、獲物の判断がより正確になるように改善（学習）することが可能となっている。
【００５４】
尚、本発明は以上説明してきた実施例に限定されるものではない。例えば、図４においては、３分経過後に必ずＬＰＷＡの送信が行われるものとして説明した。張力センサ３０の出力が所定の閾値を超えた場合にのみＬＰＷＡの無線送信するように構成することにより、無駄な送信を省くことができて樹上センサ送信機２０の消費電力を低下させることが可能である。
【００５５】
また本実施例においては、樹上センサ送信機２０及と張力センサ３０とを、ケーブル３４によって接続されるものとして説明した。  この構成では、獲物によってケーブル３４を切断される危険性がある。  そこで張力センサ３０にも乾電池などの電源を搭載することにより、ケーブル３４の代わりに近距離を通信する無線を使うこともできる。近距離通信の無線としては、例えば低消費電力のＢＬＥ（Bluetooth Low Energy、Bluetoothは登録商標）を使うことができる。
【符号の説明】
【００５６】
１  捕獲通知システム、  ４  樹木、  ７  ＬＰＷＡ受信機、８  ユーザ端末、  １０  クラウドコンピュータ、  １１  判断エンジン、  １２  データベース、２０  樹上センサ送信機、２１  バッテリー、２２  音声センサ、  ２３  臭いセンサ、  ２４  ＧＰＳ受信機、  ２５  マイクロコントローラ、  ２６  無線送信機、  ２７  メモリ、  ３０  張力センサ、  ３２  踏み板、３３  ワイヤー、  ３４  ケーブル，３８  圧力センサ、  ３９  マイクロコントローラ
【図１】
2020150833.tif 000003
【図２】
2020150833.tif 000004
【図３】
2020150833.tif 000005
【図４】
2020150833.tif 000006
【図５】
2020150833.tif 000007
【図６】
2020150833.tif 000008
【図７】
2020150833.tif 000009
【図８】
2020150833.tif 000010
【図９】
2020150833.tif 000011